(57)【要約】【課題】データ処理の種別に応じて動的に節電に関する処理を実行すること。【解決手段】所定のデータが処理され、データ処理の種別が判断され（ステップＳ１１１）、予め設定された設定期間、外部からの信号の入力がないことが判断され（ステップＳ１３２，Ｓ１４１，Ｓ１４３，Ｓ１５１，Ｓ１５３，Ｓ１５５）、設定期間、信号の入力がないと判断されたことを条件として、節電に関する処理が実行され（ステップＳ１４２，Ｓ１４４，Ｓ１５２，Ｓ１５４，Ｓ１５６）、判断されたデータ処理の種別に応じて、節電に関する処理の実行が禁止される（ステップＳ１１１，Ｓ１１５）。データ処理が終了する時点を特定可能な特定情報が検出され（ステップＳ１１３）、検出された特定情報で特定される時点まで、節電に関する処理の実行が禁止される（ステップＳ１１４，Ｓ１１５，Ｓ１２１，Ｓ１２２）。【選択図】図４
2010061287.tif 000002
【特許請求の範囲】
【請求項１】
所定のデータを処理するデータ処理手段と、
前記データ処理手段によるデータ処理の種別を判断する種別判断手段と、
予め設定された設定期間、外部からの信号の入力がないことを判断する入力判断手段と、
前記入力判断手段によって前記設定期間、前記信号の入力がないと判断されたことを条件として、節電に関する処理を実行する節電処理手段と、
前記種別判断手段によって判断された前記データ処理の種別に応じて、前記節電処理手段による前記節電に関する処理の実行を禁止する節電処理禁止手段とを備える、データ処理装置。
【請求項２】
前記節電処理禁止手段は、前記判断手段によって判断された前記データ処理の種別が、連続したデータ処理であると判断された場合、前記節電処理手段による前記節電に関する処理の実行を禁止する、請求項１に記載のデータ処理装置。
【請求項３】
前記節電処理禁止手段は、前記所定のデータの連続した処理が終了するまで、前記節電処理手段による前記節電に関する処理の実行を禁止する、請求項２に記載のデータ処理装置。
【請求項４】
前記データ処理が終了する時点を特定可能な特定情報を検出する検出手段をさらに備え、
前記節電処理禁止手段は、前記検出手段によって検出された前記特定情報で特定される時点まで、前記節電処理手段による前記節電に関する処理の実行を禁止する、請求項３に記載のデータ処理装置。
【請求項５】
前記連続したデータ処理は、動画データの処理であり、
画像を表示する表示部を制御する制御手段をさらに備え、
前記データ処理手段は、前記動画データを再生して前記表示部に出力し、
前記節電処理手段は、前記節電に関する処理として、前記制御手段による前記表示部の節電制御に関する処理を実行する、請求項２から請求項４までのいずれかに記載のデータ処理装置。
【請求項６】
前記節電処理手段による前記節電に関する処理は、当該処理が開始されてから予め設定された期間の経過後に前記制御手段によって前記表示部を節電状態に制御することを報知するためのスクリーンセーバを実行する処理である、請求項５に記載のデータ処理装置。
【請求項７】
前記節電処理手段による前記節電に関する処理は、前記制御手段によって前記表示部を節電状態に制御する処理である、請求項５に記載のデータ処理装置。
【請求項８】
所定の処理を行なう処理部を有するデータ処理装置によって実行されるデータ処理方法であって、
前記処理部が、所定のデータを処理するステップと、
前記処理部が、データ処理の種別を判断するステップと、
前記処理部が、予め設定された設定期間、外部からの信号の入力がないことを判断するステップと、
前記処理部が、前記設定期間、前記信号の入力がないと判断されたことを条件として、節電に関する処理を実行するステップと、
前記処理部が、判断された前記データ処理の種別に応じて、前記節電に関する処理の実行を禁止するステップとを含む、データ処理方法。
【請求項９】
所定の処理を行なう処理部を有するデータ処理装置によって実行されるデータ処理プログラムであって、
所定のデータを処理するステップと、
データ処理の種別を判断するステップと、
予め設定された設定期間、外部からの信号の入力がないことを判断するステップと、
前記設定期間、前記信号の入力がないと判断されたことを条件として、節電に関する処理を実行するステップと、
判断された前記データ処理の種別に応じて、前記節電に関する処理の実行を禁止するステップとを前記処理部に実行させる、データ処理プログラム。
【発明の詳細な説明】
【技術分野】
【０００１】
本発明は、データ処理装置、データ処理方法およびデータ処理プログラムに関し、特に、表示における省電力に適したデータ処理装置、データ処理方法およびデータ処理プログラムに関する。
【背景技術】
【０００２】
従来、表示装置において、パーソナルコンピュータ（以下、「ＰＣ（Personal Computer）」という）映像信号が表示装置に入力されているときは、省電力モードを有効にし、テレビ映像信号が表示装置に入力されているときは、省電力モードを無効にするものがあった（たとえば、特許文献１参照）。
【０００３】
また、ＰＣでテレビ番組が表示されていると節電モードを中止するものがあった（たとえば、特許文献２参照）。さらに、センサによって人体の有無を検出して、テレビ受像機などのディスプレイの電源を自動的にオン／オフするものがあった（たとえば、特許文献３参照）。
【特許文献１】特開２００６−３３３３１５号公報
【特許文献２】特開２００７−１８８４７２号公報
【特許文献３】実開平８−１３３４号公報
【発明の開示】
【発明が解決しようとする課題】
【０００４】
しかし、データ処理の種別に応じて動的に節電に関する処理を実行するようなものはなかった。
【０００５】
この発明は上述の問題点を解決するためになされたもので、この発明の目的の１つは、データ処理の種別に応じて動的に節電に関する処理を実行することが可能なデータ処理装置、データ処理方法およびデータ処理プログラムを提供することである。
【課題を解決するための手段】
【０００６】
上述の目的を達成するために、この発明のある局面によれば、データ処理装置は、所定のデータを処理するデータ処理部と、データ処理部によるデータ処理の種別を判断する種別判断部と、予め設定された設定期間、外部からの信号の入力がないことを判断する入力判断部と、入力判断部によって設定期間、信号の入力がないと判断されたことを条件として、節電に関する処理を実行する節電処理部と、種別判断部によって判断されたデータ処理の種別に応じて、節電処理部による節電に関する処理の実行を禁止する節電処理禁止部とを備える。
【０００７】
この発明に従えば、データ処理装置によって、所定のデータが処理され、データ処理の種別が判断され、予め設定された設定期間、外部からの信号の入力がないことが判断され、設定期間、信号の入力がないと判断されたことを条件として、節電に関する処理が実行され、判断されたデータ処理の種別に応じて、節電に関する処理の実行が禁止される。
【０００８】
このため、データ処理の種別に応じて動的に節電に関する処理を実行することが可能なデータ処理装置を提供することができる。
【０００９】
好ましくは、節電処理禁止部は、判断部によって判断されたデータ処理の種別が、連続したデータ処理であると判断された場合、節電処理部による節電に関する処理の実行を禁止する。
【００１０】
この発明に従えば、データ処理装置によって、判断されたデータ処理の種別が、連続したデータ処理であると判断された場合、節電に関する処理の実行が禁止される。このため、途中で節電に関する処理が実行されると特に都合が悪い、連続したデータ処理が実行されているときに、節電に関する処理が実行されることを防止することができる。
【００１１】
さらに好ましくは、節電処理禁止部は、所定のデータの連続した処理が終了するまで、節電処理部による節電に関する処理の実行を禁止する。
【００１２】
この発明に従えば、データ処理装置によって、所定のデータの連続した処理が終了するまで、節電に関する処理の実行が禁止される。このため、連続したデータ処理が終了するまでの間、節電に関する処理が実行されることを防止できるとともに、連続したデータ処理が終了した後は、節電に関する処理の実行が可能とされる。
【００１３】
さらに好ましくは、データ処理が終了する時点を特定可能な特定情報を検出する検出部をさらに備え、節電処理禁止部は、検出部によって検出された特定情報で特定される時点まで、節電処理部による節電に関する処理の実行を禁止する。
【００１４】
この発明に従えば、データ処理装置によって、データ処理が終了する時点を特定可能な特定情報が検出され、検出された特定情報で特定される時点まで、節電に関する処理の実行が禁止される。このため、データ処理が終了する時点までの間、節電に関する処理が実行されることを防止できるとともに、連続したデータ処理が終了した後は、節電に関する処理の実行が可能とされる。
【００１５】
好ましくは、連続したデータ処理は、動画データの処理であり、画像を表示する表示部を制御する制御部をさらに備え、データ処理部は、動画データを再生して表示部に出力し、節電処理部は、節電に関する処理として、制御部による表示部の節電制御に関する処理を実行する。
【００１６】
この発明に従えば、データ処理装置によって、動画データが再生されて表示部に出力され、節電に関する処理として、表示部の節電制御に関する処理が実行される。このため、途中で表示部の節電制御に関する処理が実行されると特に都合が悪い、連続した動画データの再生出力処理が実行されているときに、表示部の節電制御に関する処理が実行されることを防止することができる。
【００１７】
好ましくは、節電処理部による節電に関する処理は、当該処理が開始されてから予め設定された期間の経過後に制御部によって表示部を節電状態に制御することを報知するためのスクリーンセーバを実行する処理である。
【００１８】
この発明に従えば、途中でスクリーンセーバが実行されると特に都合が悪い、連続した動画データの再生出力処理が実行されているときに、スクリーンセーバが実行されることを防止することができる。
【００１９】
好ましくは、節電処理部による節電に関する処理は、制御部によって表示部を節電状態に制御する処理である。
【００２０】
この発明に従えば、途中で表示部が節電状態に制御されると特に都合が悪い、連続した動画データの再生出力処理が実行されているときに、表示部を節電状態に制御する処理が実行されることを防止することができる。
【００２１】
この発明の他の局面によれば、データ処理方法は、所定の処理を行なう処理部を有するデータ処理装置によって実行されるデータ処理方法である。データ処理方法は、処理部が、所定のデータを処理するステップと、データ処理の種別を判断するステップと、予め設定された設定期間、外部からの信号の入力がないことを判断するステップと、設定期間、信号の入力がないと判断されたことを条件として、節電に関する処理を実行するステップと、判断されたデータ処理の種別に応じて、節電に関する処理の実行を禁止するステップとを含む。
【００２２】
この発明に従えば、データ処理の種別に応じて動的に節電に関する処理を実行することが可能なデータ処理方法を提供することができる。
【００２３】
この発明のさらに他の局面によれば、データ処理プログラムは、所定の処理を行なう処理部を有するデータ処理装置によって実行される。データ処理プログラムは、所定のデータを処理するステップと、データ処理の種別を判断するステップと、予め設定された設定期間、外部からの信号の入力がないことを判断するステップと、設定期間、信号の入力がないと判断されたことを条件として、節電に関する処理を実行するステップと、判断されたデータ処理の種別に応じて、節電に関する処理の実行を禁止するステップとを処理部に実行させる。
【００２４】
この発明に従えば、データ処理の種別に応じて動的に節電に関する処理を実行することが可能なデータ処理プログラムを提供することができる。
【発明を実施するための最良の形態】
【００２５】
以下、この発明の実施の形態について、図面を参照しながら詳細に説明する。なお、図中の同一または相当部分については、同一符号を付してその説明は繰り返さない。
【００２６】
［第１の実施の形態］
図１は、本発明の実施の形態におけるインターネットテレビシステムの構成の概略を示す図である。図１を参照して、インターネットテレビシステムは、データ処理装置１００と、キーボード１３１と、リモートコントローラ（以下、「リモコン」という）１３２、テレビ受像機１４１とを含む。
【００２７】
データ処理装置１００は、一般的なＰＣの機能に加えて、インターネット受信機能、ならびに、動画再生機能、ならびに、テレビ放送の受信機能、ならびに、ビデオ録画再生機能、ならびに、インターネット画像および動画再生画像などのコンピュータ画像、テレビ画像およびビデオ画像をテレビ受像機１４１に出力する出力機能を、少なくとも備える。
【００２８】
なお、データ処理装置１００は、動画再生機能および動画出力機能を少なくとも備え、その他の機能を選択的に備えるようにしてもよい。
【００２９】
テレビ受像機１４１は、データ処理装置１００から入力された画像を表示する表示機能、ならびに、テレビ放送の受信表示機能を少なくとも備える。なお、本実施の形態においては、テレビ受像機１４１は、テレビ放送の受信表示機能を選択的に備えるようにしてもよい。
【００３０】
キーボード１３１は、ユーザによって入力された文字情報や指示などの内容を示す操作信号をデータ処理装置１００にＲＦ（Radio Frequency）無線方式で送信する。なお、実施の形態のおいては、キーボード１３１は、ＲＦ無線方式で送信するが、赤外線方式であっても良いし、ケーブルを介した有線方式であってもよい。
【００３１】
リモコン１３２は、ユーザによって入力されたデータ処理装置１００のテレビおよびビデオの関連機能を操作するための操作信号をデータ処理装置１００にＲＦ無線方式で送信する。
【００３２】
図２は、本実施の形態におけるデータ処理装置１００の構成の概略を示すブロック図である。図２を参照して、データ処理装置１００は、データ処理装置１００の全体を制御するための制御部１１０と、所定の情報を記憶するための記憶部１２０と、データ処理装置１００に所定の情報を入力するための入力部１３０と、データ処理装置１００から所定の情報を出力するための出力部１４０と、外部のコンピュータと通信するための通信部１５０と、テレビ放送の放送信号を受信するためのチューナ部１６０とを含む。
【００３３】
制御部１１０は、ＣＰＵ（Central Processing Unit）およびその補助回路からなり、記憶部１２０、入力部１３０、出力部１４０、通信部１５０およびチューナ部１６０を制御し、記憶部１２０に記憶されたプログラムまたはデータに従って所定の処理を実行し、入力部１３０、出力部１４０、通信部１５０およびチューナ部１６０から入力されたデータを処理し、処理されたデータを、記憶部１２０に記憶させたり、出力部１４０または通信部１５０に出力したりする。
【００３４】
記憶部１２０は、制御部１１０でプログラムを実行するために必要な作業領域として用いられるＲＡＭ（Random Access Memory）と、制御部１１０で実行するための基本的なプログラムを記憶するためのＲＯＭ（Read Only Memory）とを含む。また、ＲＡＭには、所定の処理を実行するためのプログラムやデータが、入力部１３０または通信部１５０から読込まれて記憶される。さらに、ＲＡＭの記憶領域を補助するための補助記憶装置の記憶媒体として、磁気ディスク（ＨＤ（Hard Disk）、ＦＤ（Flexible Disk））、光ディスク（ＣＤ（Compact Disc）、ＤＶＤ（Digital Versatile Disk）、ＢＤ（Blu-ray Disc））、光磁気ディスク（ＭＯ（Magneto-Optical disk））、または、半導体メモリ（メモリカード、ＳＳＤ（Solid State Drive））などが用いられてもよい。
【００３５】
入力部１３０は、キーボード１３１およびリモコン１３２などの入力機器からの信号を入力するためのインターフェイスであり、データ処理装置１００に必要な情報を入力することができる。
【００３６】
出力部１４０は、制御部１１０に制御されて、テレビ受像機１４１等のディスプレイに信号を出力するためのインターフェイスであり、データ処理装置１００から必要な情報を出力することができる。
【００３７】
通信部１５０は、制御部１１０に制御されて、ＬＡＮ（Local Area Network）またはインターネット３００を介して他のコンピュータ（ここでは、動画サービスサーバ２００）と通信をするためのインターフェイスである。
【００３８】
チューナ部１６０は、制御部１１０に制御されて、アンテナ１６１から入力されるテレビ放送の電波信号のうち指定されたチャンネルの電波信号をデジタルの映像信号に変換する。
【００３９】
なお、動画サービスサーバ２００は、インターネット３００を介して、データ処理装置１００からの要求に応じた動画をデータ処理装置１００に送信する。
【００４０】
図３は、第１の実施の形態におけるデータ処理装置１００の機能の概略を示す機能ブロック図である。図３を参照して、データ処理装置１００の制御部１１０によって所定のプログラムが実行されることによって、制御部１１０には、動画表示処理部１１１と、操作判断部１１２と、節電処理部１１３と、処理種別判断部１１４と、節電処理禁止部１１５と、動画終了時間検出部１１６とが構成される。
【００４１】
動画表示処理部１１１は、所定のデータの処理として、記憶部１２０または通信部１５０から入力されたＨ．２６４またはＭＰＥＧ（Moving Picture Expert Group）−２などの符号化方式で符号化された動画データを復号して映像信号に変換して出力部１４０を介してテレビ受像機１４１に出力する処理を実行する。
【００４２】
操作判断部１１２は、予め設定された設定期間Ｔ1，Ｔ2の間、キーボード１３１またはリモコン１３２から入力部１３０を介して信号の入力がないか否かを判断する。
【００４３】
設定期間Ｔ1は、ユーザが操作をせずにスクリーンセーバが起動されるまでのユーザによって予め設定された時間であり、たとえば、４０秒である。設定期間Ｔ2は、ユーザが操作をせずにテレビ受像機１４１などの表示部の電源がオフに制御されるまでのユーザによって予め設定された時間であり、たとえば、１分である。
【００４４】
節電処理部１１３は、操作判断部１１２によって設定期間Ｔ1，Ｔ2の間、キーボード１３１またはリモコン１３２から信号の入力がないと判断されたことを条件として、節電に関する処理を実行する。
【００４５】
具体的には、節電処理部１１３は、操作判断部１１２によって設定期間Ｔ1の間、キーボード１３１またはリモコン１３２から信号の入力がないと判断されたことを条件として、節電に関する処理として、動画表示処理部１１１によってスクリーンセーバを起動させ、出力部１４０を介してテレビ受像機１４１に出力させる。
【００４６】
ここで、スクリーンセーバは、スクリーンセーバが起動されてから予め設定された期間（ここでは、Ｔ2−Ｔ1、たとえば２０秒、言い換えれば、キーボード１３１またはリモコン１３２から信号の入力がないと判断されてから、設定期間Ｔ2）の経過後に、テレビ受像機１４１の節電状態への制御として、テレビ受像機１４１の電源をオフにする制御を実行することを報知するためのものである。
【００４７】
そして、節電処理部１１３は、操作判断部１１２によって設定期間Ｔ2の間、キーボード１３１またはリモコン１３２から信号の入力がないと判断されたことを条件として、節電に関する処理として、動画表示処理部１１１による画像の信号の出力を停止させ、出力部１４０を介してテレビ受像機１４１の電源をオフにする制御を実行する。
【００４８】
処理種別判断部１１４は、動画表示処理部１１１などの制御部１１０のデータ処理部によって行なわれているデータ処理の種別を判断する。具体的には、処理種別判断部１１４は、制御部１１０のデータ処理部によって行なわれているデータ処理の種別が、動画表示処理部１１１によって行なわれている動画データの処理であるか否かを判断する。
【００４９】
節電処理禁止部１１５は、処理種別判断部１１４によって判断されたデータ処理の種別に応じて、節電処理部１１３による節電に関する処理の実行を禁止する。具体的には、処理種別判断部１１４によって判断されたデータ処理の種別が、連続したデータ処理である、動画表示処理部１１１によって行なわれている動画データの処理である場合、節電処理部１１３を制御して、節電に関する処理である、スクリーンセーバを実行する処理およびテレビ受像機１４１の電源をオフにする処理の実行を禁止させる。
【００５０】
動画終了時間検出部１１５は、動画表示処理部１１１による動画データの処理が終了する時点、つまり、動画の再生が終了する時点を特定可能な情報を検出する。具体的には、動画終了時間検出部１１５は、動画の再生が終了する時点を特定可能な情報として、動画データに含まれている動画の再生時間を示す情報を検出する。
【００５１】
なお、動画終了時間検出部１１５は、動画の再生時間を計算するための動画の再生レートとサイズとを、動画の再生が終了する時点を特定可能な情報として検出するようにしてもよい。
【００５２】
節電処理禁止部１１５は、連続したデータ処理である動画表示処理部１１１によって行なわれている動画データの処理が終了するまで、節電処理部１１３による節電に関する処理の実行を禁止する。具体的には、節電処理禁止部１１５は、動画の再生の開始時刻に、動画終了時間検出部１１５によって検出された再生時間を加算することによって終了時刻を算出することによって、動画の再生が終了する時点を特定して、その終了時刻まで、節電に関する処理の実行を禁止する。
【００５３】
なお、動画終了時間検出部１１５は、終了時刻を算出することに限らず、計算時点から動画が終了するまでの残り時間を算出することによって、動画の再生が終了する時点を特定するようにしてもよい。
【００５４】
また、本実施の形態においては、制御部１１０によってソフトウェアが実行されることによって、動画表示処理部１１１と、操作判断部１１２と、節電処理部１１３と、処理種別判断部１１４と、節電処理禁止部１１５と、動画終了時間検出部１１６とが構成されるようにした。しかし、これに限定されず、動画表示処理部１１１と、操作判断部１１２と、節電処理部１１３と、処理種別判断部１１４と、節電処理禁止部１１５と、動画終了時間検出部１１６がハードウェア回路で構成されるようにしてもよい。
【００５５】
以上、説明したように、第１の実施の形態のデータ処理装置１００によれば、動画表示処理部１１１によって、所定のデータの処理として、動画データの処理が行なわれる。処理種別判断部１１４によって、制御部１１０におけるデータ処理の種別が判断される。操作判断部１１２によって、予め設定された設定期間Ｔ1，Ｔ2の間、キーボード１３１またはリモコン１３２などの外部からの信号の入力がないことが判断される。
【００５６】
節電処理部１１３によって、設定期間Ｔ1，Ｔ2の間、信号の入力がないと判断されたことを条件として、節電に関する処理として、それぞれ、スクリーンセーバおよびテレビ受像機１４１などの表示部の電源をオフにする制御が実行される。節電処理禁止部１１５によって、判断されたデータ処理の種別に応じて、節電に関する処理の実行が禁止される。
【００５７】
このように、データ処理の種別に応じて動的に節電に関する処理を実行することが可能なデータ処理装置１００を提供することができる。
【００５８】
また、節電処理禁止部１１５によって、処理種別判断部１１４によって判断されたデータ処理の種別が、連続したデータ処理としての、動画データの処理であると判断された場合、節電処理部１１３による節電に関する処理の実行が禁止される。
【００５９】
このように、途中で節電に関する処理が実行されると特に都合が悪い、連続したデータ処理として、動画データの処理が実行されているときに、節電に関する処理が実行されることを防止することができる。
【００６０】
さらに、節電処理禁止部１１５によって、データの連続した処理としての動画データの再生処理が終了するまで、節電処理部１１３による節電に関する処理の実行が禁止される。
【００６１】
このように、連続したデータ処理である動画データの処理が終了するまでの間、節電に関する処理が実行されることを防止できるとともに、連続したデータ処理である動画データの処理が終了した後は、節電に関する処理の実行が可能とされる。
【００６２】
さらに、節電処理禁止部１１５によって、データ処理が終了する時点である動画の再生が終了する時点を特定可能な特定情報として、動画データで示される動画の再生時間が検出される。そして、節電処理部１１５によって、検出された特定情報である再生時間で特定される動画の再生の終了時刻まで、節電に関する処理の実行が禁止される。
【００６３】
このように、データ処理が終了する時点、つまり、動画の再生の終了時刻までの間、節電に関する処理が実行されることを防止できるとともに、連続したデータ処理が終了した後は、節電に関する処理の実行が可能とされる。
【００６４】
また、連続したデータ処理は、動画データの処理である。そして、動画表示処理部１１１および出力部１４０によって、画像を表示するテレビ受像機１４１が制御される。節電処理部１１３によって、動画データが再生されてテレビ受像機１４１に出力される。節電処理部１１３によって、節電に関する処理として、動画表示処理部１１１および出力部１４０によるテレビ受像機１４１の節電制御に関する処理が実行される。
【００６５】
このように、途中でテレビ受像機１４１の節電制御に関する処理が実行されると特に都合が悪い、連続した動画データの再生出力処理が実行されているときに、テレビ受像機１４１の節電制御に関する処理が実行されることを防止することができる。
【００６６】
また、節電処理部１１３による節電に関する処理の１つは、当該処理が開始されてから設定期間Ｔ1の経過後に動画表示処理部１１１および出力部１４０によってテレビ受像機１４１を節電状態に制御することを報知するためのスクリーンセーバを実行する処理である。
【００６７】
このように、途中でスクリーンセーバが実行されると特に都合が悪い、連続した動画データの再生出力処理が実行されているときに、スクリーンセーバが実行されることを防止することができる。
【００６８】
また、節電処理部１１３による節電に関する処理の１つは、動画表示処理部１１１および出力部１４０によってテレビ受像機１４１を節電状態に制御する処理である。
【００６９】
このように、途中でテレビ受像機１４１が節電状態に制御されると特に都合が悪い、連続した動画データの再生出力処理が実行されているときに、テレビ受像機１４１を節電状態に制御する処理が実行されることを防止することができる。
【００７０】
［第２の実施の形態］
第１の実施の形態においては、データ処理装置１００の制御部１１０によって所定のプログラムが実行されることによって構成される動画表示処理部１１１と、操作判断部１１２と、節電処理部１１３と、処理種別判断部１１４と、節電処理禁止部１１５と、動画終了時間検出部１１６とによって節電に関する処理が行なわれる場合について説明した。
【００７１】
第２の実施の形態においては、データ処理装置１００の制御部１１０によって図４で説明する節電処理プログラムが実行されることによって節電に関する処理が行なわれる場合について説明する。
【００７２】
図４は、第２の実施の形態におけるデータ処理装置１００によって実行される節電処理プログラムの流れを示すフローチャートである。第２の実施の形態におけるデータ処理装置１００の構成は、図２で説明した構成と同様であるので重複する説明は繰返さない。
【００７３】
節電処理プログラムが起動されると、まず、ステップＳ１０１で、データ処理装置１００の制御部１１０は、無操作時間Ｔの計測を開始する。無操作時間とは、ユーザが操作をせずに経過した時間であり、本実施の形態では、０からカウントされる。
【００７４】
次に、ステップＳ１０２で、制御部１１０は、外部の装置（本実施の形態では、テレビ受像機１４１）へのテレビ信号の出力が開始されたか否かを判断する。テレビ信号の出力が開始されたと判断した場合（ステップＳ１０２でＹＥＳと判断した場合）、ステップＳ１０３で、制御部１１０は、省電力機能をオフにする。
【００７５】
省電力機能とは、後述するように、表示装置、外部記憶装置または自機の電力を節電状態または電源オフ状態にしたり、そのような状態にすることを報知したりする機能である。省電力機能をオン／オフにするとは、省電力機能が機能可能／機能不能な状態にすることである。
【００７６】
テレビ信号の出力が開始されていないと判断した場合（ステップＳ１０２でＮＯと判断した場合）、および、ステップＳ１０３の後、制御部１１０は、実行する処理をステップＳ１０４の処理に進める。
【００７７】
また、ステップＳ１０４で、制御部１１０は、外部の装置へのテレビ信号の出力が終了させられたか否かを判断する。テレビ信号の出力が終了させられたと判断した場合（ステップＳ１０４でＹＥＳと判断した場合）、ステップＳ１０５で、制御部１１０は、省電力機能をオンにする。
【００７８】
テレビ信号の出力が終了させられていないと判断した場合（ステップＳ１０４でＮＯと判断した場合）、および、ステップＳ１０５の後、制御部１１０は、実行する処理をステップＳ１１１の処理に進める。
【００７９】
つまり、ステップＳ１０１からステップＳ１０４までの処理によって、テレビ信号の外部への出力が開始されると省電力機能がオフにされ、出力が終了されると省電力機能がオンにされる。
【００８０】
次に、ステップＳ１１１で、制御部１１０は、当該プログラムと別のプログラムで動画データが処理されて動画の再生が開始されたか否かを判断する。
【００８１】
動画の再生が開始されたと判断した場合（ステップＳ１１１でＹＥＳと判断した場合）、ステップＳ１１２で、制御部１１０は、動画の再生の開始時刻を記憶部１２０に記憶させる。
【００８２】
そして、制御部１１０は、ステップＳ１１３で、動画データからその動画の再生時間を読出し、ステップＳ１１４で、ステップＳ１１２で記憶させた開始時刻に、ステップＳ１１３で読出した再生時間を加算して、動画の再生の終了時刻を算出して、記憶部１２０に記憶させる。さらに、ステップＳ１１５で、制御部１１０は、省電力機能をオフにする。
【００８３】
動画の再生が開始されていないと判断した場合（ステップＳ１１１でＮＯと判断した場合）、および、ステップＳ１１５の後、制御部１１０は、実行する処理をステップＳ１２１の処理に進める。
【００８４】
次に、ステップＳ１２１で、制御部１１０は、ステップＳ１１４で記憶された動画の再生の終了時刻になったか否かを判断する。終了時刻になったと判断した場合（ステップＳ１２１でＹＥＳと判断した場合）、ステップＳ１２２で、制御部１１０は、省電力機能をオンにする。
【００８５】
終了時刻になっていないと判断した場合（ステップＳ１２１でＮＯと判断した場合）、および、ステップＳ１２２の後、制御部１１０は、実行する処理をステップＳ１３１の処理に進める。
【００８６】
つまり、ステップＳ１１１からステップＳ１２２までの処理によって、動画データで示される動画の再生が開始されると、省電力機能がオフにされ、動画の再生の終了時刻になると、省電力機能がオンにされる。
【００８７】
次に、ステップＳ１３１で、制御部１１０は、省電力機能がオンであるか否かを判断する。省電力機能がオンであると判断した場合（ステップＳ１３１でＹＥＳと判断した場合）、ステップＳ１３２で、制御部１１０は、キーボード１３１またはリモコン１３２から信号の入力があったか否かを判断することによって、ユーザによる操作があったか否かを判断する。
【００８８】
操作があったと判断した場合（ステップＳ１３２でＹＥＳと判断した場合）、ステップＳ１３３で、制御部１１０は、ステップＳ１０１で説明した無操作時間Ｔを０にリセットする。
【００８９】
省電力機能がオンでないと判断した場合（ステップＳ１３１でＮＯと判断した場合）、ユーザによる操作がないと判断した場合（ステップＳ１３２でＮＯと判断した場合）、および、ステップＳ１３３の後、制御部１１０は、実行する処理をステップＳ１４１の処理に進める。
【００９０】
つまり、ステップＳ１３１からステップＳ１３３までの処理によって、省電力機能がオンであって、ユーザによるデータ処理装置１００の操作があれば、ユーザが操作をせずに経過した無操作時間Ｔが０にリセットされ、再度０からカウントされる。
【００９１】
次に、ステップＳ１４１で、制御部１１０は、無操作時間Ｔが設定時間Ｔ1を経過した直後であるか否かを判断する。設定時間Ｔ1は、第１の実施の形態で説明したものと同様であるので、重複する説明は繰返さない。ＴがＴ1を経過した直後であると判断した場合（ステップＳ１４１でＹＥＳと判断した場合）、ステップＳ１４２で、制御部１１０は、スクリーンセーバを起動させる。
【００９２】
ＴがＴ1を経過した直後でないと判断した場合（ステップＳ１４１でＮＯと判断した場合）、および、ステップＳ１４２の後、ステップＳ１４３で、制御部１１０は、無操作時間Ｔが設定時間Ｔ2を経過した直後であるか否かを判断する。設定時間Ｔ2は、第１の実施の形態で説明したものと同様であるので、重複する説明は繰返さない。ＴがＴ2を経過した直後であると判断した場合（ステップＳ１４３でＹＥＳと判断した場合）、ステップＳ１４４で、制御部１１０は、外部の表示装置（本実施の形態においては、テレビ受像機１４１）の電源をオフにする制御を実行する。
【００９３】
ＴがＴ2を経過した直後でないと判断した場合（ステップＳ１４３でＮＯと判断した場合）、および、ステップＳ１４４の後、ステップＳ１５１で、制御部１１０は、無操作時間Ｔが設定時間Ｔ3を経過した直後であるか否かを判断する。設定時間Ｔ3は、ユーザが操作をせずに外部記憶装置の電源をオフに制御されるまでのユーザによって予め設定された時間であり、たとえば、２分である。
【００９４】
ＴがＴ3を経過した直後であると判断した場合（ステップＳ１５１でＹＥＳと判断した場合）、ステップＳ１５２で、制御部１１０は、記憶部１２０の外部記憶装置（本実施の形態においては、ハードディスクドライブ）の電源をオフにする制御を実行する。
【００９５】
ＴがＴ3を経過した直後でないと判断した場合（ステップＳ１５１でＮＯと判断した場合）、および、ステップＳ１５２の後、ステップＳ１５３で、制御部１１０は、無操作時間Ｔが設定時間Ｔ4を経過した直後であるか否かを判断する。設定時間Ｔ4は、ユーザが操作をせずにデータ処理装置１００がスタンバイ状態に制御されるまでのユーザによって予め設定された時間であり、たとえば、１０分である。
【００９６】
スタンバイ状態とは、記憶部１２０の半導体メモリの記憶内容はそのまま保持されて、半導体メモリへ電力は供給されつつ、ハードディスクドライブなどの記憶部１２０の外部記憶装置、入力部１３０、出力部１４０、通信部１５０およびチューナ部１６０、ならびに、制御部１１０の一部の電源はオフにされた状態である。
【００９７】
ＴがＴ4を経過した直後であると判断した場合（ステップＳ１５３でＹＥＳと判断した場合）、ステップＳ１５４で、制御部１１０は、スタンバイ状態に移行する制御を実行する。
【００９８】
ＴがＴ4を経過した直後でないと判断した場合（ステップＳ１５３でＮＯと判断した場合）、および、ステップＳ１５４の後、ステップＳ１５５で、制御部１１０は、無操作時間Ｔが設定時間Ｔ5を経過した直後であるか否かを判断する。設定時間Ｔ5は、ユーザが操作をせずにデータ処理装置１００が休止状態に制御されるまでのユーザによって予め設定された時間であり、たとえば、３０分である。
【００９９】
休止状態とは、記憶部１２０の半導体メモリの記憶内容がそのまま記憶部１２０のハードディスクに退避されて、ハードディスクドライブなどの記憶部１２０の外部記憶装置、入力部１３０、出力部１４０、通信部１５０およびチューナ部１６０、ならびに、制御部１１０の一部の電源はオフにされた状態である。
【０１００】
ＴがＴ5を経過した直後であると判断した場合（ステップＳ１５５でＹＥＳと判断した場合）、ステップＳ１５６で、制御部１１０は、休止状態に移行する制御を実行する。なお、ここでは、休止状態に移行するようにしたが、シャットダウンによってデータ処理装置１００の電源オフ状態に移行するようにしてもよい。
【０１０１】
ＴがＴ5を経過した直後でないと判断した場合（ステップＳ１５５でＮＯと判断した場合）、および、ステップＳ１５６の後、制御部１１０は、実行する処理をステップＳ１０２の処理に戻す。
【０１０２】
つまり、ステップＳ１４１からステップＳ１５６までの処理によって、所定の設定期間Ｔ1〜Ｔ5の間、ユーザからのデータ処理装置１００の操作がないことを条件として、それぞれ、節電に関する処理が実行される。
【０１０３】
以上、説明したように、第２の実施の形態のデータ処理装置１００によれば、ステップＳ１１１で示したように、制御部１１０によって、処理のデータの処理として、当該節電処理プログラムと別のプログラムで動画データが処理される。ステップＳ１１１で示したように、制御部１１０におけるデータ処理の種別が判断される。ステップＳ１３２，ステップＳ１４１，ステップＳ１４３，ステップＳ１５１，ステップＳ１５３，ステップＳ１５５でそれぞれ示したように、予め設定された設定期間Ｔ1〜Ｔ5の間、キーボード１３１またはリモコン１３２などの外部からの信号の入力がないことが判断される。
【０１０４】
ステップＳ１４２，ステップＳ１４４，ステップＳ１５２，ステップＳ１５４，ステップＳ１５６でそれぞれ示したように、制御部１１０によって、設定期間Ｔ1〜Ｔ5の間、信号の入力がないと判断されたことを条件として、節電に関する処理として、それぞれ、スクリーンセーバ、テレビ受像機１４１などの表示装置の電源をオフにする制御、ハードディスクドライブなどの外部記憶装置の電源をオフにする制御、スタンバイ状態に移行する制御、および、休止状態に移行する制御が実行される。ステップＳ１１１，ステップＳ１１５で示したように、制御部１１０によって、判断されたデータ処理の種別に応じて、省電力機能がオフにされることによって、節電に関する処理の実行が禁止される。
【０１０５】
このように、データ処理の種別に応じて動的に節電に関する処理を実行することが可能なデータ処理装置１００を提供することができる。
【０１０６】
また、ステップＳ１１１，ステップＳ１１５で示したように、制御部１１０によって、判断されたデータ処理の種別が、連続したデータ処理としての、動画データの処理であると判断された場合、省電力機能がオフにされることによって、ステップＳ１３１で省電力機能がオンであると判断されず、ステップＳ１３３で無操作時間Ｔがリセットされないため、ステップＳ１４１，ステップＳ１４３，ステップＳ１５１，ステップＳ１５３，ステップＳ１５５でそれぞれ無操作時間Ｔが設定期間Ｔ1〜Ｔ5を経過した直後であると判断されず、それぞれ、ステップＳ１４２，ステップＳ１４４，ステップＳ１５２，ステップＳ１５４，ステップＳ１５６の処理が実行されない結果、節電に関する処理の実行が禁止される。
【０１０７】
このように、途中で節電に関する処理が実行されると特に都合が悪い、連続したデータ処理として、動画データの処理が実行されているときに、節電に関する処理が実行されることを防止することができる。
【０１０８】
さらに、ステップＳ１１１からステップＳ１１５まで、および、ステップＳ１２１，ステップＳ１２２で示したように、制御部１１０によって、動画の終了時刻が算出され、算出された終了時刻まで、省電力機能がオフにされるので、データの連続した処理としての動画データの再生処理が終了するまで、節電に関する処理の実行が禁止される。
【０１０９】
このように、連続したデータ処理である動画データの処理が終了するまでの間、節電に関する処理が実行されることを防止できるとともに、連続したデータ処理が終了した後は、節電に関する処理の実行が可能とされる。
【０１１０】
さらに、ステップＳ１１３で示したように、制御部１１０によって、データ処理が終了する時点を特定可能な特定情報として、動画データで示される動画の再生時間が検出される。そして、ステップＳ１１４，ステップＳ１１５，ステップＳ１２１，ステップＳ１２２で示したように、制御部１１０によって、検出された特定情報である再生時間で特定される動画の再生の終了時刻まで、節電に関する処理の実行が禁止される。
【０１１１】
このように、データ処理が終了する時点、つまり、動画の再生の終了時刻までの間、節電に関する処理が実行されることを防止できるとともに、連続したデータ処理が終了した後は、節電に関する処理の実行が可能とされる。
【０１１２】
また、連続したデータ処理は、動画データの処理である。そして、制御部１１０および出力部１４０によって、画像を表示するテレビ受像機１４１が制御される。ステップＳ１１１で示したように、制御部１１０によって、動画データが再生されてテレビ受像機１４１に出力される。ステップＳ１４２，ステップＳ１４４，ステップＳ１５２，ステップＳ１５４，ステップＳ１５６で示したように、制御部１１０によって、節電に関する処理として、制御部１１０および出力部１４０によるテレビ受像機１４１の節電制御に関する処理が実行される。
【０１１３】
このように、途中でテレビ受像機１４１の節電制御に関する処理が実行されると特に都合が悪い、連続した動画データの再生出力処理が実行されているときに、テレビ受像機１４１の節電制御に関する処理が実行されることを防止することができる。
【０１１４】
また、ステップＳ１４２で示したように、制御部１１０によって実行される節電に関する処理の１つは、当該処理が開始されてから設定期間Ｔ1の経過後に制御部１１０および出力部１４０によってテレビ受像機１４１を節電状態に制御することを報知するためのスクリーンセーバを実行する処理である。
【０１１５】
このように、途中でスクリーンセーバが実行されると特に都合が悪い、連続した動画データの再生出力処理が実行されているときに、スクリーンセーバが実行されることを防止することができる。
【０１１６】
また、ステップＳ１４４で示したように、制御部１１０によって実行される節電に関する処理の１つは、制御部１１０および出力部１４０によってテレビ受像機１４１を節電状態に制御する処理である。
【０１１７】
このように、途中でテレビ受像機１４１が節電状態に制御されると特に都合が悪い、連続した動画データの再生出力処理が実行されているときに、テレビ受像機１４１を節電状態に制御する処理が実行されることを防止することができる。
【０１１８】
［第３の実施の形態］
第３の実施の形態は、第２の実施の形態のステップＳ１１５とステップＳ１３１との間の処理である、ステップＳ１２１，ステップＳ１２２の処理に加えて、ステップＳ１６１からステップＳ１６５まで、および、ステップＳ１７１からステップＳ１７８までの処理を実行するようにしたものである。このため、ステップＳ１２１，ステップＳ１２２以外の処理は、図４で説明した処理と共通であるので、重複する説明は繰返さない。
【０１１９】
図５は、第３の実施の形態におけるデータ処理装置１００によって実行される節電処理プログラムの一部の流れを示すフローチャートである。図５を参照して、動画の再生が開始されていないと判断した場合（ステップＳ１１１でＮＯと判断した場合）、および、ステップＳ１１５の後、制御部１１０は、実行する処理をステップＳ１６１の処理に進める。
【０１２０】
次に、ステップＳ１６１で、制御部１１０は、動画の再生が開始された場合、その動画が、動画の検索結果からの再生であるか否かを判断する。具体的には、制御部１１０は、ファイル検索プログラムが実行された検索結果の動画の拡張子のファイルのリストから１つのファイルが選択されることによって動画の再生が開始されたか否かを判断する。
【０１２１】
動画の検索結果からの再生であると判断した場合（ステップＳ１６１でＹＥＳと判断した場合）、ステップＳ１６２で、制御部１１０は、その検索結果に複数の動画のファイルが含まれるか否かを判断する。具体的には、制御部１１０は、ファイル検索プログラムが実行された検索結果の動画の拡張子のファイルのリストに複数の動画のファイルが含まれているか否かを判断する。
【０１２２】
動画の検索結果に複数の動画のファイルが含まれると判断した場合（ステップＳ１６２でＹＥＳと判断した場合）、ステップＳ１６３で、制御部１００は、検索再生フラグをオンにする。
【０１２３】
検索再生フラグは、ファイル検索プログラムの検索結果に複数の動画のファイルが含まれる場合に、検索された動画のファイルのうちの１つが選択されて、選択された動画が再生されている場合にオンにされ、そうでない場合にオフにされるフラグである。
【０１２４】
また、ステップＳ１６４で、制御部１１０は、動画の再生が開始された場合、その動画の実演家の少なくとも一部が、前回視聴した動画の実演家に含まれるか否かを判断する。
【０１２５】
ここで、実演家とは、俳優、舞踊家、演奏家、歌手その他実演を行なう者および実演を指揮し、または演出する者をいう。実演とは、著作物を、演劇的に演じ、舞い、演奏し、歌い、口演し、朗詠し、またはその他の方法により演ずること（これらに類する行為で、著作物を演じないが芸能的な性質を有するものを含む。）をいう。著作物とは、思想または感情を創作的に表現したものであつて、文芸、学術、美術または音楽の範囲に属するものをいう。
【０１２６】
今回の動画の実演家の少なくとも一部が前回の動画の実演家に含まれると判断した場合（ステップＳ１６４でＹＥＳと判断した場合）、ステップＳ１６５で、制御部１１０は、関連動画視聴傾向値を１加算する。関連動画視聴傾向値とは、連続して関連した動画（本実施の形態においては、同じ実演家の動画）を視聴する傾向を示す値であり、関連した動画を連続して視聴するたびに、１加算される。つまり、関連動画視聴傾向値が高いほど、連続して関連した動画を視聴する傾向が強いことが示される。
【０１２７】
今回の動画の実演家の少なくとも一部が前回の実演家に含まれないと判断した場合（ステップＳ１６４でＮＯと判断した場合）、および、ステップＳ１６５の後、ステップＳ１２１で、制御部１１０は、図４のステップＳ１２１と同様、ステップＳ１１４で記憶された動画の再生の終了時刻になったか否かを判断する。終了時刻になったと判断した場合（ステップＳ１２１でＹＥＳと判断した場合）、ステップＳ１７１で、制御部１１０は、再生されていた動画のジャンルが、映画であるか否かを判断する。具体的には、動画データにジャンルを示す情報が含まれていて、そのジャンルを示す情報が参照されることによって、動画のジャンルが判断される。
【０１２８】
動画のジャンルが映画であると判断した場合（ステップＳ１７１でＹＥＳと判断した場合）、制御部１１０は、実行する処理を後述するステップＳ１８４の処理に進める。一方、動画のジャンルが映画でないと判断した場合（ステップＳ１７１でＮＯと判断した場合）、ステップＳ１７２で、制御部１１０は、動画のジャンルがドラマであるか否かを判断する。
【０１２９】
動画のジャンルがドラマであると判断した場合（ステップＳ１７２でＹＥＳと判断した場合）、制御部１１０は、実行する処理を後述するステップＳ１７６の処理に進める。一方、動画のジャンルがドラマでないと判断した場合（ステップＳ１７２でＮＯと判断した場合）、ステップＳ１７３で、制御部１１０は、ステップＳ１６３で説明した検索再生フラグがオンであるか否かを判断する。
【０１３０】
検索再生フラグがオンであると判断した場合（ステップＳ１７３でＹＥＳと判断した場合）、ステップＳ１７４で、制御部１１０は、検索再生フラグをオフにして、実行する処理を後述するステップＳ１７６の処理に進める。
【０１３１】
一方、検索再生フラグがオンでないと判断した場合（ステップＳ１７３でＮＯと判断した場合）、ステップＳ１７５で、制御部１１０は、関連動画視聴傾向値が所定値（ここでは、１００）以上であるか否かを判断する。なお、本実施の形態においては、関連動画視聴傾向値が所定値以上であるか否かによって、関連した動画を視聴する傾向があるか否かを判断するようにするが、関連動画視聴傾向値のしきい値である所定値は、１００に限定されず、他の値であってもよい。
【０１３２】
関連動画視聴傾向値が所定値以上であると判断した場合（ステップＳ１７５でＹＥＳと判断した場合）、制御部１１０は、実行する処理を後述するステップＳ１７６の処理に進める。一方、関連動画視聴傾向値が所定値未満であると判断した場合（ステップＳ１７５でＮＯと判断した場合）、制御部１１０は、実行する処理を後述するステップＳ１８２の処理に進める。
【０１３３】
ステップＳ１７６では、制御部１１０は、留保フラグをオンにし、実行する処理をステップＳ１０２の処理に戻す。留保フラグとは、動画の再生の終了時刻であると判断された場合であっても、ユーザが続けて動画を視聴する可能性が高いと判断されるような特定の条件を満たす場合に、省電力機能をオンにすることを留保していることを示すフラグであり、留保している場合にオンにされ、留保していない場合にオフにされる。
【０１３４】
本実施の形態においては、特定の条件として、再生されていた動画のジャンルがドラマであるという条件、検索結果から動画を再生しているという条件、関連した動画を視聴する傾向が強いという条件を満たす場合、つまり、ユーザが続けて動画を視聴する可能性が高いと判断される場合に、省電力機能をオンにすることが留保される。
【０１３５】
これによって、ユーザが続けて動画を視聴する可能性が高い場合は、省電力機能が即座にオンにされないので、ユーザが次に視聴する動画を模索したり探したり検索したりしているときに、節電に関する処理が実行されることを防止することができる。
【０１３６】
一方、ステップＳ１１４で記憶された動画の再生の終了時刻になっていないと判断した場合（ステップＳ１２１でＮＯと判断した場合）、ステップＳ１８１で、制御部１１０は、留保フラグがオンであるか否かを判断する。留保フラグがオンでないと判断した場合（ステップＳ１８１でＮＯと判断した場合）、制御部１１０は、実行する処理を図４で説明したステップＳ１３１の処理に進める。
【０１３７】
一方、留保フラグがオンであると判断した場合（ステップＳ１８１でＹＥＳと判断した場合）、および、ステップＳ１７２，ステップＳ１７３，ステップＳ１７５でユーザが続けて動画を視聴する可能性が高くないと判断された場合、ステップＳ１８２で、制御部１１０は、動画再生プレーヤーが動画を再生中であるか否かを判断する。
【０１３８】
動画再生プレーヤーが動画を再生中でないと判断した場合（ステップＳ１８２でＮＯと判断した場合）、ステップＳ１８３で、制御部１１０は、通信部１５０を確認することによって、動画サービスサーバ２００からインターネット３００および通信部１５０を介して、動画のストリームデータを受信中であるか否かを判断する。
【０１３９】
動画再生プレーヤーが動画を再生中であると判断した場合（ステップＳ１８２でＹＥＳと判断した場合）、および、動画のストリームデータを受信中であると判断した場合（ステップＳ１８３でＹＥＳと判断した場合）、ステップＳ１２１で動画の再生の終了時刻であると判断されていようとなかろうと、動画の再生中であることがほぼ確実であるので、制御部１１０は、ステップＳ１２２で省電力機能をオンにすることなしに、実行する処理を図４で説明したステップＳ１３１の処理に進める。
【０１４０】
一方、動画のストリームデータを受信中でないと判断した場合（ステップＳ１８３でＮＯと判断した場合）、ステップＳ１８２で動画再生プレーヤーが動画を再生中でないとも判断されているので、ステップＳ１２１で動画の再生の終了時刻であると判断されていようとなかろうと、動画の再生中でないことがほぼ確実であるので、制御部１１０は、ステップＳ１８４で、留保フラグをオフにし、ステップＳ１２２で、図４のステップＳ１２２と同様、省電力機能をオンにし、実行する処理を図４で説明したステップＳ１３１の処理に進める。
【０１４１】
また、ステップＳ１２１で、動画の再生の終了時刻であると判断され、ステップＳ１７１で、再生されていた動画のジャンルが映画であると判断された場合についても、ステップＳ１８４で、留保フラグがオフにされ、ステップＳ１２２で、省電力機能がオンにされる。
【０１４２】
次に前述した実施の形態の変形例を説明する。
（１）  前述した実施の形態においては、図４で説明した節電処理プログラムによって、省電力機能のオン／オフ制御および節電に関する処理が行なわれるようにした。しかし、これに限定されず、複数のデスクトップのうちからデスクトップを切換えて使用できるソフトウェアが導入されている場合は、次のように節電に関する処理が行なわれるようにしてもよい。
【０１４３】
つまり、図４のステップＳ１１１で説明したように、動画の再生が開始されたと判断された場合に、スクリーンセーバの実行および常駐アプリケーションプログラムのポップアップ表示を許可するように設定された第１のデスクトップから、スクリーンセーバの実行および常駐アプリケーションプログラムのポップアップ表示を許可しないように設定された動画再生専用の第２のデスクトップに切換えるように制御され、図４のステップＳ１２１で説明したような動画の再生の終了時刻であるか否かの判断によって、終了時刻になったと判断された場合に、第２のデスクトップから、第１のデスクトップに切換えるように制御されるようにしてもよい。
【０１４４】
（２）  前述した実施の形態においては、連続したデータ処理は、動画サービスサーバ２００などの外部のサーバから受信されたり記憶部１２０に記憶されたりしている動画データの再生出力処理であることとした。しかし、これに限定されず、連続したデータ処理は、放送中または録画された１番組分のテレビ放送の映像信号の出力処理であってもよいし、ＤＶＤなどの記録媒体へのデータの書込処理であってもよい。
【０１４５】
テレビ放送の映像信号の出力処理である場合は、節電に関する処理は、前述した実施の形態と同様の処理でよい。記録媒体へのデータの書込処理である場合は、節電に関する処理は、ＤＶＤドライブなどの外部記憶装置をスタンバイ状態にしたり、電源オフ状態にしたりする処理である。
【０１４６】
（３）  前述した第２の実施の形態および第３の実施の形態においては、節電処理プログラムは、単体のプログラムであることとした。しかし、これに限定されず、節電処理プログラムが、オペレーティングシステムに組込まれるようにしてもよいし、動画再生プログラムに組込まれるようにしてもよいし、スクリーンセーバプログラムに組込まれるようにしてもよい。また、テレビ受像機１４１、ＤＶＤプレーヤーなどの光ディスクプレーヤー、または、ハードディスクレコーダーなどのデータ処理装置１００以外の映像関連装置に、節電処理プログラムが組込まれるようにしてもよい。
【０１４７】
（４）  前述した実施の形態は、データ処理装置１００の発明、データ処理装置１００で実行される節電処理のためのデータ処理方法の発明、データ処理装置で実行される節電処理プログラムの発明として捉えることができる。
【０１４８】
（５）  今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１４９】
【図１】本発明の実施の形態におけるインターネットテレビシステムの構成の概略を示す図である。
【図２】本実施の形態におけるデータ処理装置の構成の概略を示すブロック図である。
【図３】第１の実施の形態におけるデータ処理装置の機能の概略を示す機能ブロック図である。
【図４】第２の実施の形態におけるデータ処理装置によって実行される節電処理プログラムの流れを示すフローチャートである。
【図５】第３の実施の形態におけるデータ処理装置によって実行される節電処理プログラムの一部の流れを示すフローチャートである。
【符号の説明】
【０１５０】
１００  データ処理装置、１１０  制御部、１１１  動画表示処理部、１１２  操作判断部、１１３  節電処理部、１１４  処理種別判断部、１１５  節電処理禁止部、１１６  動画終了時間検出部、１２０  記憶部、１３０  入力部、１３１  キーボード、１３２  リモコン、１４０  出力部、１４１  テレビ受像機、１５０  通信部、１６０  チューナ部、１６１  アンテナ、２００  動画サービスサーバ、３００  インターネット。
【図１】
2010061287.tif 000003
【図２】
2010061287.tif 000004
【図３】
2010061287.tif 000005
【図４】
2010061287.tif 000006
【図５】
2010061287.tif 000007